(57)【要約】【課題】  完全な蓋長さが非常に僅かな屋根勾配をもつ屋根の場合にも適用され、水止めの確実で永続的固定を保証する従来の補助態様に製造できる水止めを備えた屋根瓦を提供すること。【解決手段】  この発明は中間へり（３）と、少なくとも一つの横蓋或いは水ビード（２或いは６）とそれら中間へりとビードの間に位置した水路（４）とを備える屋根瓦（１）に関し、水路の領域には水止め（５）が配置されている。この水止め（５）は水路（４）、中間へり（３）と横ビード（２）の領域における縁により屋根瓦未加工品の材料へ押圧される。そのような水止めは屈曲弾性薄板から、特に屋根瓦（１）の材料に一致しない材料から構成されている。
2009511790.tif 000002
【特許請求の範囲】
【請求項１】
隆起部（２、３）により限定された少なくとも一つの水路（４）を備えて、その水路の付近には水止め（５、７；１３、１４；２３）が配置されていて、水止めの少なくとも幾つかの縁領域が水路（４）の壁や隆起部（２、３）の壁に係合する屋根瓦（１）において、水止め（５、７；１３、１４；２３）が屈曲自在に弾性小板から構成されていることを特徴とする屋根瓦。
【請求項２】
水止め（５、７；１３、１４；２３）が金属或いは金属合金から構成されることを特徴とする請求項１に記載の屋根瓦。
【請求項３】
水止め（５、７；１３、１４；２３）が合成材料から構成されることを特徴とする請求項１に記載の屋根瓦。
【請求項４】
水止め（５、７；１３、１４；２３）の熱膨張係数が屋根瓦（１）の熱膨張係数に接近することを特徴とする請求項１に記載の屋根瓦。
【請求項５】
水止め（５、７；１３、１４；２３）が３ｍｍより薄い厚さを有することを特徴とする請求項１に記載の屋根瓦。
【請求項６】
水止め（５、７；１３、１４；２３）が０．２５ｍｍより厚い厚さを有することを特徴とする請求項１に記載の屋根瓦。
【請求項７】
水止め（５、７；１３、１４；２３）がおよそ１ｍｍの厚さを有することを特徴とする請求項１に記載の屋根瓦。
【請求項８】
水止め（５、７；１３、１４；２３）がその横方向縁に楔状に形成されることを特徴とする請求項１に記載の屋根瓦。
【請求項９】
水止め（５、７；１３、１４；２３）が台形状に形成されることを特徴とする請求項１に記載の屋根瓦。
【請求項１０】
台形の短い側面と台形の横方向側面（９、１０）とが屋根瓦（１）へ押込まれるのに対して、台形の長い側面が実質的に露出されていることを特徴とする請求項９に記載の屋根瓦。
【請求項１１】
台形の長い側面と横方向側面（９、１０）との間の角度が４０と７０度の間にあることを特徴とする請求項９に記載の屋根瓦。
【請求項１２】
台形の長い側面と横方向側面との間の角度がおよそ５７度であることを特徴とする請求項９に記載の屋根瓦。
【請求項１３】
水止め（５、７；１３、１４；２３）が円のセグメントの形態に形成されることを特徴とする請求項１に記載の屋根瓦。
【請求項１４】
水止め（５、７；１３、１４；２３）が鎌の形態に形成されることを特徴とする請求項１に記載の屋根瓦。
【請求項１５】
水止め（５、７；１３、１４；２３）が係留要素（１９−２２）を有することを特徴とする請求項１に記載の屋根瓦。
【請求項１６】
係留要素（１９−２２）が台形の隅に設けられていることを特徴とする請求項１０或いは１５に記載の屋根瓦。
【請求項１７】
係留要素（１９−２２）がフック状に形成されていることを特徴とする請求項１０或いは１６に記載の屋根瓦。
【請求項１８】
台形の長い側面（２４）がその端部では中心においてより長いことを特徴とする請求項１０に記載の屋根瓦。
【請求項１９】
水路（４）を形成する隆起部の一方が中間へり（３）であることを特徴とする請求項１に記載の屋根瓦。
【請求項２０】
水路（４）を形成する他の隆起部が横方向カバー或いは水ビード（２、６）であることを特徴とする請求項１に記載の屋根瓦。
【請求項２１】
水止め（５、７；１３、１４；２３）が屋根瓦（１）の棟側縁（３０）から少なくとも１０ｍｍの距離に配置されていることを特徴とする請求項１に記載の屋根瓦。
【請求項２２】
水止め（５、７；１３、１４；２３）が屋根瓦（１）の棟側縁（３０）から２５ｍｍの距離に配置されていることを特徴とする請求項２１に記載の屋根瓦。
【請求項２３】
中間へり（３）が水止め（５、７；１３、１４；２３）の前に配置された排水路を包含することを特徴とする請求項１９に記載の屋根瓦。
【請求項２４】
水止め（５、７；１３、１４；２３）が屋根瓦（１）へ少なくとも０．５ｍｍ突き通すことを特徴とする請求項１に記載の屋根瓦。
【発明の詳細な説明】
【技術分野】
【０００１】
この発明は、特許請求項１の上位概念による屋根瓦に関する。
【背景技術】
【０００２】
連続押出方法による屋根瓦の製造では、互いに衝突する同じ長さの補助形態から一定速度により搬送されたストランドへ生コンクリート層が無端ベルトとして塗布されて、屋根瓦の従来の表面輪郭に対応する形成工具により天面に形成される。連続塗布生コンクリート層が続いて刃として形成された切断工具によって切断ステーションにおいて各補助形態の各端に切断されて、各補助形態が単一屋根瓦未加工品を支持する。補助形態の屋根瓦未加工品が続いて乾燥室で硬化され、硬化された後に、表面被覆を備えている。屋根瓦を製造するそのような方法はドイツ特許出願公開第３５２２８４６号明細書（特許文献１）に記載されている。
【０００３】
この種の屋根瓦をもつ傾斜した屋根を吹き降り雨から密封的に覆うために、棟−軒−線に隣接した屋根瓦が重なって設置されることが必要である。この際に、それぞれの重なり長さがそれぞれの屋根勾配に依存していて、即ち非常にひどい屋根勾配では、重なりが非常に僅かな屋根勾配の場合よりより僅かに選定され得る。
【０００４】
構造的措置が採用されていて、屋根瓦が足側縁にある下面に横断する足リブを備えている。ドイツ特許出願公開第３５２２８４６号明細書（特許文献１）から知られた補助形態がその横縁には窪みを備えているので、この窪みに押圧された生コンクリートが屋根瓦未加工品の頭部側縁には懸架フランジを形成し、足側縁には横断する足リブを形成する。この方法では、棟側屋根瓦が敷設の際に懸架フランジにより屋根割り板に引っ掛けられ、足リブにより軒方向に隣接した屋根瓦の表面に設置される。この場合には、足リブに基づいて屋根瓦の重なり領域には一種のラビリンスが形成されて雨水の侵入を阻止する。
【０００５】
この屋根瓦の使用は、２２°より少ない勾配をもつ屋根では、無論問題がない、なんとなれば、僅かな勾配を基づいて、屋根瓦の非常に大きな重なり長さが必要である。その結果、棟と軒の間に非常に多数の平行な屋根瓦列が設置されなければならない。屋根瓦の大きな要件や屋根瓦列の数に適合された屋根割り板構造の準備によって、材料費と人件費が著しく増加される。それ故に、非常に僅かな屋根勾配をもつ建物はしばしば大きなフォーマットで、より経済的で、軽量な屋根ふき材料、例えば金属薄板或いは繊維セメントプレートにより覆われている。
【０００６】
それ故に、屋根瓦がその頭側縁に領域における上面にて吹き降り雨の侵入を阻止する水止めを備えることを無視されていた。この方法では、屋根瓦の重なりが明らかに減少され得るので、材料費と人件費が減少される。
【０００７】
ドイツ特許出願公開第１８１２４５６号明細書（特許文献２）とドイツ特許出願公開第２５０８５５１号明細書（特許文献３）では、補助態様に載置する屋根瓦未加工品に水止めを備えるのに適している方法が記載されている。両方法では、別に準備された生コンクリートからまず最初に水止めが形成されていて、引き続いて頭部側縁の領域で屋根瓦未加工品の上面に押圧されるか、或いは貼り付けられる。この際に、水止めが、一方では十分な形状安定性と他方では大きく平らで材料理論的結合を保証するために、比較的幅広く形成されている。  
【０００８】
けれども、上記方法により水止めを装備した屋根瓦は、屋根瓦と水止めの間に種々の生コンクリートの使用に基づいて弱体化する継目個所が発生し、衝撃を受けて亀裂を発生させるという欠点を有する。
【０００９】
これら欠点を取り除くために、英国特許第６６４０１０号明細書（特許文献４）により個々の屋根瓦未加工品に生コンクリートストランドを切断する際に水止めを屋根瓦未加工品の頭部側縁に形成することを無視されていた。それ故に、屋根瓦未加工品と水止めとは同じ生コンクリートから成り立つ。この方法では、水止めと屋根瓦の間に良好な結合が達成され得る。
【００１０】
けれども、屋根瓦の堆積性と包装性を保証するために、堆積で上に置かれる屋根瓦の下面上の懸架フランジが屋根瓦の頭部側縁から非常に幅広く遠隔的に配置されなければならなく、それにより堆積で下に置かれる屋根瓦の上面と直接に頭部側縁に配置された水止め用の十分な場所が存在する。
【００１１】
特許文献４により水止めを備えた屋根瓦が特許文献１の図６と７で図示されて懸架フランジが最適な形式に直接に屋根瓦の頭部側縁に配置されているた屋根瓦と比較されると、特許文献４から知られた屋根瓦が屋根瓦の頭部側縁からの懸架フランジの大きな距離に基づいて明白に減少された蓋長さを有する。その結果、いつも多数の平行な屋根瓦列が必要である。
【００１２】
さらに、生産技術的観点から、特許文献４による水止めを備えた屋根瓦を製造するために、補助態様の別のセットが必要であり、というのは、懸架フランジの位置が従来の屋根瓦の最適位置から偏向されているからである。
【特許文献１】ドイツ特許出願公開第３５２２８４６号明細書
【特許文献２】ドイツ特許出願公開第１８１２４５６号明細書
【特許文献３】ドイツ特許出願公開第２５０８５５１号明細書
【特許文献４】英国特許第６６４０１０号明細書
【発明の開示】
【発明が解決しようとする課題】
【００１３】
それ故に、この発明の課題は、完全な蓋長さが非常に僅かな屋根勾配をもつ屋根の場合にも適用され、水止めの確実で永続的固定を保証する従来の補助態様に製造できる水止めを備えた屋根瓦を提供することである。
【課題を解決するための手段】
【００１４】
この課題は、特許請求項１の特徴事項によって解決される。
【００１５】
それ故に、この発明は例えば中間へりと少なくとも一つの横蓋ビード或いは水ビード  を有し、中間へりとビードの間に位置する水路を備えて、その領域には水止めが配置されている屋根瓦に関する。この水止めはその縁により部分的に水路、中間へりと横ビードの領域において屋根瓦未加工品の材料に押圧されている。水止めは屈曲弾性薄板と屋根瓦と一致しない材料とから成る。
【００１６】
この発明により得られた利点は、特に水止めが機械的に水止めを包囲する硬化されたコンクリートにより保持されていることにある。この方法では、特許文献２と特許文献３による水止めの際には屋根瓦の包装と敷設の際の継目箇所に基づいてしばしば生じるような、屋根瓦から水止めの剥離は、回避される。
【００１７】
さらに、水止めが屋根瓦未加工品の頭部側縁までの自由選択可能な距離により生コンクリートに押圧されるから、屋根瓦未加工品の下面の懸架フランジがその最適位置に直接に頭部側縁に残留され得るので、通常の補助態様が使用され得る。特許文献４から知られた屋根瓦に比べて、それにより屋根瓦の蓋長さの減少の他に、別の補助態様セット用の高価な投資費用を省略できる。
【００１８】
屋根瓦未加工品の頭部側縁までの水止めの距離は屋根瓦モデルと懸架フランジに依存している。水止めが屋根瓦の堆積部には障害を示されていないので、距離が少なくとも１０ｍｍ、特に２５ｍｍである。
【００１９】
特許文献２と特許文献３による（ドイツ特許出願公開第１５７９４２７号明細書、ドイツ実用新案第１８３８４３１号明細書、オーストリア特許第２７８４２号明細書を参照）コンクリートから製造された比較的幅広い水止めに比べて、水止めが板状に形成されるならば、蓋長さに関する余剰が生じる。それにより同時に圧縮された生コンクリートへの水止めの挿入が容易とされる。十分な剛性を有するために、水止めの材料強度が少なくとも０．２５ｍｍ，特に１ｍｍである。
【００２０】
水止めを生コンクリートへ侵入させるために、水止めの生コンクリートへ侵入する側面の縁が差し込み方向に形成されるならば、好ましい。
【００２１】
水止めを水路、横方向ビードと中間へりの領域には最適に通過できるために、水止めの幾何学的形状が屋根瓦未加工品のそれぞれの横断面輪郭に適合されている。
【００２２】
平らな水路を備える屋根瓦のために、水止めが特に同じ脚状台形状に形成されているので、差し込れた水止めの長い側面（台形の底）が自由に位置し、その間にそれぞれに水路、中間へりと横ビードの領域における残りの側面がコンクリートに差し込れている。台形状水止めの場合には、それぞれに底と側面により形成された角度が４０と７０度の領域に位置すべきである。特に角度が５７度である。
【００２３】
それに対して、凹状に形成された水路を備える屋根瓦のために、円部分状或いは三日月形に形成された水止めが適している。
【００２４】
横ビードと中間へりの領域では重なり領域に侵入した雨水による水止めの包囲を阻止するために、水止めがそれを限定する端部の領域では水路の領域より高く形成され得る。
【００２５】
水止めの包囲は、少なくとも中間へりの領域では水止めの前に支持された水路溝が設けられていて、水止めを回避する雨水を再び屋根瓦の水路に案内する。
【００２６】
水止めの確実な固定を達成するために、これが水路、中間へりと横ビードの領域には少なくとも０．５ｍｍ，特に３ｍｍの深さで生コンクリートへ侵入すべきであった。
【００２７】
生コンクリートへ水止めの埋め込みは、水止めが生コンクリートに侵入する縁には係留要素を有するならば、改良され得る。
【００２８】
この場合には、係留要素はホーン状或いはフック状に形成され得る。係留要素が水止めの他の縁と比較して明らかにより深く生コンクリートに突き出し得る。係留要素が５．５ｍｍ深さに侵入し得るならば、水止めの他の縁が３ｍｍの深さしか侵入しない。
【００２９】
水止めが耐腐食性或いは少なくとも腐食防止材料から製造されている。水止めの材料が温度変動を受けるので、熱的長さ膨張係数が、包囲するコンクリートを破壊しないために、コンクリートの熱的長さ膨張係数にほぼなる。水止めの好ましい材料は合成樹脂、アルミニュウム合金、亜鉛で被覆された鋼或いはステンレススチールである。
【００３０】
屋根瓦を汚染付着や藻類成長に対して永続的に保護するために、水止めを備えた屋根瓦が例えばポリマー分散顔料の表面被覆を備えている。この場合には、水止めと屋根瓦のみが統一的に着色されないので、材料差がもはや公開されなく、むしろ表面被覆が同時に水止めと屋根瓦の間の均一隙間を密封する。
【発明を実施するための最良の形態】
【００３１】
この発明の実施例は図面に図示されて、次に詳細に記載されている。
【実施例】
【００３２】
図 1では、屋根瓦１の一部が平面図で図示されている。この屋根瓦１は横水ビード２並びに中間へり３を有する。水ビード２とへり３の間に水路４が存在する。この水路４には、水止め５が配置されていて、一つの薄く弾性金属部材或いは合成樹脂部材から成り立つ。この水止め５がその縁により部分的にそれぞれに水路４、中間へり３と水ビード２の領域では屋根瓦１の密封された生コンクリートに押圧される。屋根瓦１が硬化された後に、水止め５が屋根瓦１にしっかりと固定されている。
【００３３】
図２は屋根瓦１を通る横断面を示し、横蓋ビード６を認識すべきである。蓋ビード６と中間へり３の間に他の水止め７が存在し、同様に薄い弾性板として形成されている。
【００３４】
水止め５と７は台形の形状を有し、台形の小さい側面が水路４、８に押圧されている。水止め５と７の傾斜横縁９、１０；１１、１２が水ビード２或いは蓋ビード６や中間へり３に係合する。台形の長い側面が実質的に自由に位置する。水止め５と７の台形状構成によって生コンクリートへの侵入が容易とされる。  
【００３５】
水止めが屋根瓦未加工品のそれぞれの輪郭に適合されていることがわかる。
【００３６】
図３には、二つの水止め１３、１４が図示されていて、図２の水止め５と７とは、水止めが台形の隅点にフック１５乃至１８或いは１９乃至２２を有することを相違する。これらフック１５乃至２２が生コンクリートに係留部として用いられる。
【００３７】
図４は水止め２３の別の態様を示し、台形の長い側面２４が端部には上方へ案内されている。これによって二つの上昇したフック状係留部２５、２６を形成する。
【００３８】
台形の下面２７の端部がホーン状係留要素２８、２９を備えている。屋根瓦１は図４には右半分により図示されている。
【００３９】
水止めは特に耐腐食性或いは腐食保護材料から製造されている。適した材料は防水性合成樹脂或いは金属、例えばアルミニュウム或いは銅である。
【００４０】
図５には、図２による屋根瓦を通る縦断面Ａ−Ａが図示されている。この場合には、水止め５、中間へり３と水路４を認識できる。水止め５はそこで屋根瓦１の縁３０から少なくとも１０ｍｍ離れている。この縁３０は屋根瓦１の敷設の後に棟の方向に配置されている。この縁３０は懸架フランジの一部である。
【００４１】
図１乃至５に図示された屋根瓦は実質的に平らな水路４を有する。この水路４には、台形状に構成された水止めが適している。
【００４２】
それに対して水路が凹状に形成されるならば、水止めが特に円部分状或いは三日月状に形成されている。
【図面の簡単な説明】
【００４３】
【図１】この発明による屋根瓦の部分領域に関する平面図を示す。
【図２】第一水止めをもつ屋根瓦を通る横断面を示す。
【図３】第二水止めをもつ屋根瓦を通る横断面を示す。
【図４】第三水止めをもつ屋根瓦を通る横断面を示す。
【図５】図２による屋根瓦を通る縦断面を示す。
【符号の説明】
【００４４】
１．．．．屋根瓦
２．．．．水ビード
３．．．．中間へり
４．．．．水路
５．．．．水止め
６．．．．蓋ビード
７．．．．水止め
８．．．．水路
９，１０，１１，１２．．．傾斜横縁
１３，１４．．．水止め
１５乃至２２．．．フック
２３．．．水止め
２４．．．台形の長い側面
２５，２６．．．フック状係留部
２７．．．台形の下面
２８，２９．．．ホーン状係留要素
３０．．．縁
【図１】
2009511790.tif 000003
【図２】
2009511790.tif 000004
【図３】
2009511790.tif 000005
【図４】
2009511790.tif 000006
【図５】
2009511790.tif 000007
【国際調査報告】
2009511790.tif 000008
2009511790.tif 000009
2009511790.tif 000010
2009511790.tif 000011
2009511790.tif 000012
2009511790.tif 000013